(57)【要約】【課題】  駆動部材を介在させずに検出スイッチの押圧操作が可能で、押釦表面の摩耗を防止することができる力覚付与型入力装置を提供する。【解決手段】  円環状の周側面１２ａを有し、周方向に回転操作されると共に、軸線方向とは直交する径方向に押圧操作される操作部材１２と、操作部材１２に回転力を付与するアクチュエータ６と、操作部材１２の周側面１２ａの一部が露出する開口部１ａを有し、操作部材１２及びアクチュエータ６を収納する筐体１、２と、筐体１、２に取付けられ、操作部材１２の押圧操作に伴って駆動される検出スイッチ５とを備え、筐体１、２には、操作部材１２の押圧操作に伴って操作部材１２と共に揺動するブラケット４を設け、ブラケット４に操作部材１２を回転可能に支持すると共に、操作部材１２が押圧操作された際には揺動されるブラケット４により検出スイッチ６を直接押圧駆動するようにした。【選択図】        図５
2005327169.tif 000002
【特許請求の範囲】
【請求項１】
円環状の周側面を有し、周方向に回転操作されると共に、軸線方向とは直交する径方向に押圧操作される操作部材と、この操作部材に回転力を付与するアクチュエータと、前記操作部材の周側面の一部が露出する開口部を有し、前記操作部材及び前記アクチュエータを収納する筐体と、この筐体に取付けられ、前記操作部材の押圧操作に伴って駆動される検出スイッチとを備え、前記筐体には、前記操作部材の押圧操作に伴って前記操作部材と共に揺動するブラケットを設け、このブラケットに前記操作部材を回転可能に支持すると共に、前記操作部材が押圧操作された際には揺動される前記ブラケットにより前記検出スイッチを直接押圧駆動するようにしたことを特徴とする力覚付与型入力装置。
【請求項２】
前記ブラケットの前記筐体への揺動支点位置を、前記操作部材の支持位置とは対向する反対側に設け、前記操作部材の前記ブラケットへの支持位置側に前記操作部材の押圧操作を検出する前記検出スイッチを配置したことを特徴とする請求項１記載の力覚付与型入力装置。
【請求項３】
前記ブラケットには、前記アクチュエータが支持されており、前記操作部材と前記アクチュエータは、前記アクチュエータの回転軸の回転を減速して前記操作部材に伝達する噛合ギヤを介して接続されていることを特徴とする請求項１、又は２記載の力覚付与型入力装置。
【請求項４】
前記ブラケットには、前記操作部材が支持された下面側に、前記噛合ギヤの外周部を支持するギヤガイドを設けたことを特徴とする請求項３記載の力覚付与型入力装置。
【発明の詳細な説明】
【技術分野】
【０００１】
本発明は、例えば自動車に搭載されるエアコンなどの電気機器の操作に用いられる入力装置に係り、特に手動操作されるノブの回転方向や回転量に応じて、そのノブを操作する操作者に所定の力学的な感触（力覚）を与える力覚付与型入力装置に関する。
【背景技術】
【０００２】
従来から、力覚付与型入力装置には、手動で回転操作及び押圧操作されるノブと、このノブの回転角を検出するエンコーダ及び押圧を検出する押釦スイッチと、ノブに回転力を与えるアクチュエータ（モータ）と、前記エンコーダにより検出された回転角に応じてアクチュエータを制御すると共に、ノブの操作対象物である別の装置にノブの回転角に応じた操作信号を出力するコントローラとを備えたものがある。
【０００３】
このように構成された力覚付与型入力装置は、ノブを手動で回転操作することにより、例えば、車載用電気機器を操作する操作信号を出力するものであって、車載用エアコンの風量の調節や吹出口の切り換え、ラジオの音量やチューナーの調整、オーディオの音量や音質の調整などが操作対象となる。
【０００４】
この場合、まずノブを回転させて操作対象である車載用エアコン等を選択した後、ノブを押圧して操作対象機器を確定させる。次に、車載用エアコンの風量を調整する場合、例えば、ノブを風量を増加させる方向に回転すると、ノブの回転方向と反対方向の回転力がアクチュエータ（モータ）からノブに与えられ、風量を増加させる方向におけるノブの回転角の増大に従って、ノブに与えられる回転方向と反対方向の回転力が増大するように設定される。つまり、操作者は、ノブから与えられる抵抗力の増加に伴う抵抗感触（力覚）により、風量を増加させる方向にどの程度ノブを回転させたかを把握することができる。
【０００５】
尚、力覚付与型入力装置には、上述のように力覚として抵抗感触が得られるようにしたものの他に、ノブに回転方向と同方向の回転力を与えることにより力覚として加速感触が得られるようにしたものや、ノブの回転角が所定の回転角を超える際にノブに与える回転力を反転させることにより力覚としてクリック感触が得られるようにしたものなどがある。
【０００６】
このような従来の力覚付与型入力装置には、アクチュエータ（モータ）とノブを直結して、ノブとアクチュエータを同時に移動させるタイプの入力装置が知られているが、直結タイプにおいては、アクチュエータとノブの変速比が１となるため力覚としてのトルクが不足してしまう欠点があった。
【０００７】
このため、昨今では、トルク不足を補うために、アクチュエータを固定しノブのみを移動可能に支持して、アクチュエータの回転軸の回転を減速してノブに伝達するためのプーリーとベルトを設け、このプーリーとベルトを介してアクチュエータとノブを接続した構成の入力装置が開発されている（例えば、特許文献１参照）。
【０００８】
この従来の入力装置を図６に基づいて説明すると、入力装置は、筐体１２６と、この筐体１２６に支持されたアクチュエータ（モータ）１１２、及びセンサ（エンコーダ）１１０と、アクチュエータ１１２の回転軸１４０にプーリー１３２とベルト１３８を介して回転可能で、且つ揺動可能に接続されたノブ６６と、このノブ６６の揺動時の移動を検出する押釦スイッチ１５０とを有している。
【０００９】
この入力装置の動作を説明すると、ノブ６６が回転操作されると、軸１３４に固着されたプーリー１３２及びベルト１３８を介してアクチュエータ１１２の回転軸１４０が回転され、この回転角をアクチュエータ１１２に連結されたセンサ１１０により検出する。そして、このセンサ１１０により検出された回転角に応じてアクチュエータ１１２を図示しないコントローラで制御すると共に、ノブ６６の操作対象物である特定の機器にノブ６６の回転角に応じた操作信号を出力するものとなる。
【００１０】
この時、コントローラからの信号でアクチュエータ１１２を制御するが、アクチュエータ１１２とノブ６６はプーリ１３６、及び１３２を介してベルト１３８で連結されており、プーリ１３６、１３２の径を変えることにより、アクチュエータ１１２とノブ６６の変速比が変わるため、アクチュエータ１１２の回転軸１４０の回転を減速してノブに伝達することにより、十分なトルクがアクチュエータ１１２からノブ６６に伝達できるものとなる。
【００１１】
また、ノブ６６を回転させて種々の機器の中から操作対象である機器を選択した後、ノブ６６を押圧することにより、ノブ６６及び軸１３４が揺動し、軸１３４が、下側に配置された駆動部材１４８を介して押釦スイッチ１５０を押圧するものとなり、押釦スイッチ１５０の押圧によって検出された信号がコントローラに送信され、操作対象機器を確定させるものとなっている。
【００１２】
【特許文献１】米国特許第６１２８００６号明細書
【発明の開示】
【発明が解決しようとする課題】
【００１３】
しかしながら、上述した従来の力覚付与型入力装置の構造においては、ノブ６６を回転操作させることから、ノブ６６の軸１３４で直接押釦スイッチ１５０を押圧した場合、軸１３４が押釦表面と当接して回転することにより、押釦表面が摩耗してしまうことから、軸１３４と押釦スイッチ１５０との間に駆動部材１４８を介在させて押圧駆動させることにより押釦表面の摩耗を防止する構成となっていた。このため、部品点数が増え、構造が複雑化してしまい、作業性が悪いと共に、装置の小型化ができないという問題があった。
【００１４】
従って、本発明では上述した問題点を解決し、回転操作される操作部材を軸線方向とは直交する径方向に押圧操作した場合でも、駆動部材を介在させずに検出スイッチの押圧操作が可能で、押釦表面の摩耗を防止することができる力覚付与型入力装置を提供することを目的とする。
【課題を解決するための手段】
【００１５】
上記課題を解決するために本発明では第１の解決手段として、円環状の周側面を有し、周方向に回転操作されると共に、軸線方向とは直交する径方向に押圧操作される操作部材と、この操作部材に回転力を付与するアクチュエータと、前記操作部材の周側面の一部が露出する開口部を有し、前記操作部材及び前記アクチュエータを収納する筐体と、この筐体に取付けられ、前記操作部材の押圧操作に伴って駆動される検出スイッチとを備え、前記筐体には、前記操作部材の押圧操作に伴って前記操作部材と共に揺動するブラケットを設け、このブラケットに前記操作部材を回転可能に支持すると共に、前記操作部材が押圧操作された際には揺動される前記ブラケットにより前記検出スイッチを直接押圧駆動するようにした構成とした。
【００１６】
また、第２の解決手段として、前記ブラケットの前記筐体への揺動支点位置を、前記操作部材の支持位置とは対向する反対側に設け、前記操作部材の前記ブラケットへの支持位置側に前記操作部材の押圧操作を検出する前記検出スイッチを配置した構成とした。
また、第３の解決手段として、前記ブラケットには、前記アクチュエータが支持されており、前記操作部材と前記アクチュエータは、前記アクチュエータの回転軸の回転を減速して前記操作部材に伝達する噛合ギヤを介して接続されている構成とした。
また、第４の解決手段として、前記ブラケットには、前記操作部材が支持された下面側に、前記噛合ギヤの外周部を支持するギヤガイドを設けた構成とした。
【発明の効果】
【００１７】
上述したように、本発明の力覚付与型入力装置は、円環状の周側面を有し、周方向に回転操作されると共に、軸線方向とは直交する径方向に押圧操作される操作部材と、操作部材に回転力を付与するアクチュエータと、操作部材の周側面の一部が露出する開口部を有し、操作部材及びアクチュエータを収納する筐体と、筐体に取付けられ、操作部材の押圧操作に伴って駆動される検出スイッチとを備え、筐体には、操作部材の押圧操作に伴って操作部材と共に揺動するブラケットを設け、ブラケットに操作部材を回転可能に支持すると共に、操作部材が押圧操作された際には揺動されるブラケットにより検出スイッチを直接押圧駆動するようにしたことから、操作部材の押圧操作に伴って駆動される検出スイッチは、回転操作される操作部材ではなく操作部材が回転可能に支持されたブラケットが揺動することにより、このブラケットで押圧駆動されるため、駆動部材を介在させることなく検出スイッチの押釦表面の摩耗を防止することができるので、部品点数を削減でき、作業性が向上すると共に、装置の小型化が図れる。
【００１８】
また、ブラケットの筐体への揺動支点位置を、操作部材の支持位置とは対向する反対側に設け、操作部材のブラケットへの支持位置側に操作部材の押圧操作を検出する検出スイッチを配置したことから、検出スイッチをブラケットの揺動支点から遠い位置に配置できるので、操作部材が検出スイッチを押圧するストロークを短く設定できると共に、操作部材近傍で検出手段を押圧できるので、操作フィーリングが良好となる。
また、ブラケットには、アクチュエータが支持されており、操作部材とアクチュエータは、アクチュエータの回転軸の回転を減速して操作部材に伝達する噛合ギヤを介して接続されていることから、操作部材を径方向に押圧操作してもアクチュエータが共に移動するので、アクチュエータの回転力をベルト等の可撓性伝動部材を介さずに伝達でき、ダイレクトな力覚を付与することができる。
また、ブラケットには、操作部材が支持された下面側に、噛合ギヤの外周部を支持するギヤガイドを設けたことから、操作部材の傾きなどの変位を防止し、操作部材が押圧操作された際の噛合ギヤの歯合状態を一定にして、安定した回転力の伝達ができる。
【発明を実施するための最良の形態】
【００１９】
以下、本発明の実施形態を図１乃至図５に示す。図１は本発明に係る力覚付与型入力装置の構成を示す正面図、図２は力覚付与型入力装置の構成を示す平面図、図３は力覚付与型入力装置の構成を示す左側面図、図４は力覚付与型入力装置の構成を示す右側面図、図５は力覚付与型入力装置の構成を示す断面図である。尚、図１乃至図４では内部の構成が分かり易いようにハウジングの一部を除いた状態で示している。
【００２０】
図において、筐体は合成樹脂などの絶縁材で形成され、内部に空洞部を有するドーム状に形成された上ケース１と、この上ケース１の下面側に係合されて空洞部を塞ぐ平板状の底板２とから形成されている。また、上ケース１の上面側には、方形状の開口部１ａが設けられており、この開口部１ａに後述する操作部材１２の周側部の一部が露出するものとなっている。また、上ケース１の開口部１ａ側の一内側面には、上下方向に沿って延設された突出部３ａを有するガイド部材３が設けられている。
【００２１】
ブラケット４は、合成樹脂材あるいは金属材などで断面形状が略Ｆ字状に形成され、やや厚肉状の基台４ａと、この基台４ａの略中央に垂直方向に立設された第１取付け板４ｂと、この第１取付け板４ｂと平行して基台４ａの一端側に立設された第２取付け板４ｃとを有している。このブラケット４は、基台４ａの他端側が前記底板２に支軸部２ａで軸支されて、その一端側が揺動可能となっており、また、基台４ａの一端側の下方に位置する前記底板２上には、ブラケット４の回動に伴い一端側で押圧される検出スイッチである押釦スイッチ５が配設されている。
【００２２】
前記ブラケット４の第１取付け板４ｂには、後述する操作部材１２に回転力を付与するアクチュエータであるモータ６が取付けられており、このモータ６の回転軸６ａの一端が第２取付け板４ｃ側へ突出している。また、このモータ６の回転軸６ａの一端には、後述する操作部材１２の第２の噛合ギヤ１４と歯合してモータ６の回転軸６ａの回転を減速する第１の噛合ギヤ７が固着されている。また、モータ６は本体が前記ブラケットの基台４ａ近傍に支持されて前記底板２の内底面側に支持されている。
【００２３】
また、前記モータ６の回転軸６ａの他端には、回転軸６ａの回転角、すなわち操作部材１２の回転角を検出し、その回転角に相当する回転角信号を出力する円周方向に沿って多数のコード、例えばスリット８ａが配列されたコード板８が固着されている。また、前記ブラケット４の基台４ａには、Ｌ字状の支持板９を介して回路基板１０が取付けられており、この回路基板１０にはフォトセンサ１１が取付けられている。このフォトセンサ１１の発光部及び受光部が前記コード板８のスリット８ａを挟んで対向されて配設されている。このコード板８とフォトセンサ１１とで回転検出手段であるエンコーダを構成している。
【００２４】
操作部材１２は、合成樹脂等の絶縁材からなり、円環状の周側面１２ａを有し、片側が開口された中空部１２ｂを有する円筒状に形成されている。この操作部材１２は、前記ブラケット４の第２取付け板４ｃに、前記第１取付け板４ｂ側に向かって突出して設けられた回転支持部材１３の支持軸１３ａに軸支され、前記第１取付け板４ｂと第２取付け板４ｃとの間に回転可能に取付けられている。
【００２５】
このように、前記操作部材１２の前記ブラケット４への支持位置は、前記操作部材１２を挟んで前記モータ６の前記ブラケット４への支持位置（第１取付け板４ｂ）とは反対側で支持したことから、前記操作部材１２を前記ブラケット４との支持位置（第２取付け板４ｃ）と前記モータ６との中間に配置することができるので、前記操作部材１２の形状に制約がなく自由に設計できると共に、前記ブラケット４の形状にも制約がなく肉厚を十分とれるので強固に形成できるものとなっている。
【００２６】
また、前記操作部材１２の中空部１２ｂには、この内周面に沿って円環状に連続した第２の噛合ギヤ１４が固着されている。そして、前記第１取付け板４ｂに取付けられたモータ６の回転軸６ａの一端に固着された第１の噛合ギヤ７が、前記操作部材１２の中空部１２ｂの中に配置され、この第１の噛合ギヤ７と前記第２の噛合ギヤ１４とが歯合されるものとなる。また、前記モータ６のブラケット４への支持位置は、前記底板２の内底面側に設けられているので、前記第１の噛合ギヤ７と第２の噛合ギヤ１４とは、前記操作部材１２が上ケース１の開口部１ａから露出した周側面１２ａの反対側で歯合されている。
【００２７】
このように、前記モータ６のブラケット４への支持位置を、前記操作部材１２の支持軸１３ａを挟んで前記底板２の内底部側に設けると共に、前記上ケース１の開口部１ａから露出した前記操作部材１２の周側面１２ａの反対側で、前記操作部材１２と前記第１及び第２の噛合ギヤ７、１４を介して接続したことから、前記モータ６が筐体を構成する前記上ケース１と底板２から飛び出すことなく前記モータ６の第１の噛合ギヤ７を小さく形成できるので、前記モータ６の回転を容易に減速できると共に、上ケース１の開口部１ａの周囲に障害物がないようにすることができる。
【００２８】
また、この場合、前記第１の噛合ギヤ７のギヤ（歯）数に比べて、前記第２の噛合ギヤ１４のギヤ（歯）数の方が十分に多く形成されているので、この第１の噛合ギヤ７と第２の噛合ギヤ１４とで、前記モータ６の回転軸６ａの回転が減速されるものとなり、前記モータ６の回転時には、前記操作部材１２に十分な回転トルクが得られるものとなっている。
【００２９】
また、前記操作部材１２とモータ６は、共通の前記ブラケット４に取付けられており、操作部材１２が押圧されて下方へ移動される時には、モータ６が共に移動するものとなっており、モータ６の回転の減速機構である前記第１の噛合ギヤ７と第２の噛合ギヤ１４との噛合状態は変わらず、操作部材１２にダイレクトな回転力が伝達されるものとなっている。
【００３０】
また、前記ブラケット４の前記底板２への支持位置を、前記モータ６側に設けると共に、前記操作部材１２と前記ブラケット４の支持位置側に、前記操作部材１２の移動を検出する検出スイッチである押釦スイッチ５を配置したことから、押圧スイッチ５を前記ブラケット４の揺動支点から遠い位置に配置できるので、前記操作部材１２が押圧スイッチ５を押圧するストロークを短く設定できると共に、前記操作部材１２近傍で押圧スイッチ５を押圧できるので、操作フィーリングが良好となっている。
【００３１】
また、前記ブラケット４の第２取付け板４ｃに設けられた前記回転支持部材１３には、支持軸１３ａの突出方向とは反対側に突出すると共に、中央に前記ブラケット４の移動方向に沿ったガイド溝１３ｂが形成されている。このガイド溝１３ｂが、前記上ケース１の開口部１ａ側の一内側面に設けられたガイド部材３の突出部３ａと係合することにより、ブラケット４が上下方向に移動するときのガイド手段を構成している。
【００３２】
このように、筐体の一部を構成する前記上ケース１と、前記ブラケット４には、前記ブラケット４の移動方向に沿って突出部３ａを有する前記ガイド部材３と、ガイド溝１３ｂを設けたことから、これらのガイド手段により前記ブラケット４の移動がガイドされるので、前記操作部材１２が押圧された際には、径方向に移動する際の横ぶれなどの発生を防止することができるものとなっている。
【００３３】
また、前記ブラケット４の基台４ａには、前記第１取付け板４ｂと第２取付け板４ｃとの間で、前記操作部材１２の下面側に、前記第２のギヤ１４の外周部（下面側）を支持するギヤガイド１５が設けられている。このギヤガイド１５を設けることにより操作部材１２の傾きなどの変位を防止し、前記操作部材１２が押圧操作された際の第１の噛合ギヤ７と第２の噛合ギヤ１４との歯合状態を一定にして、安定した回転力の伝達ができるものとなっている。
【００３４】
尚、図示はしないが、力覚付与型入力装置は、外部のコントローラに接続されており、このコントローラは、入力部、演算部、記憶部、出力部を有している。入力部は、エンコーダから出力された回転角信号と、回転方向信号とが入力されるものである。演算部は、入力部に入力された回転角信号と、回転方向信号に応じてモータ６を制御する制御信号の値（電圧値）を演算するものである。出力部は、演算部による演算結果に応じて、モータ６に制御信号を出力するものである。そして、記憶部には、制御部を動作させるための制御プログラムと、演算部による制御信号の値の演算に使用される関数と、演算式とを予め記憶させている。
【００３５】
次に、上記構成の力覚付与型入力装置の動作について説明する。
まず、操作部材１２を回転操作すると、第２の噛合ギヤ１４及び第１の噛合ギヤ７を介してモータ６が回転され回転軸６ａに固着されたコード板８が回転することでフォトセンサ１１が読み取ったコード信号が図示しないコントローラの入力部に入力される。そして、予め記憶された制御信号が出力部から出力され、表示装置（図示せず）の切換えが行なわれる。ここで、操作対象である機器（例えば、エアコン）を選択した後、操作部材１２を押圧することにより、ブラケット４が支軸部２ａを支点として下方へ揺動（回動）され、対向する一端側の下方に配設された押釦スイッチ５が押圧される。そして、この検出信号がコントローラに入力され、操作対象機器（エアコン）が確定されるものとなる。
【００３６】
次に、各種モード（吹出口切換え／温度設定／風量設定）を同じ方法で選択して確定する。そして、操作対象モード（例えば、風量）の時、操作部材１２を回転操作すると、回転角がエンコーダ（コード板８及びフォトセンサ１１）により検出され、その回転角の相当する回転角信号が制御部の入力部に入力される。そして、演算部により、操作部材１２の回転角と、記憶部に予め記憶されている関数とから操作部材１２の回転角に応じた操作信号の値が演算される。そして、演算部により算出された値の操作信号が出力部から出力される。これにより、例えば、エアコンなどの風量が増加するものとなる。
【００３７】
このとき、演算部では、操作部材１２の回転角に応じたモータ６の制御信号の値の演算も行われる。そして、演算部により算出された値の制御信号が出力部からモータ６に出力される。これにより、モータ６から操作部材１２に回転操作に抵抗する力が加えられ、この力が操作部材１２の回転角の増大に従って、その回転操作方向に抵抗する力が増大する。つまり、操作者は、操作部材１２から与えられる抵抗力の増大に伴う抵抗感触（力覚）により、風量を増加させる方向に操作部材１２をどの程度回転させたかを把握することができるものとなる。
【００３８】
また、操作部材１２の回転角が所定の回転角（例えば、ＭＡＸ位置）に達すると、エンコーダにより所定の回転角が検出され、その所定の回転角に相当する回転角信号が制御部の入力部に入力される。そして、演算部により、記憶部に予め記憶されている演算式に基づいて、操作部材１２の回転を阻止する旨が決定され、この決定に対するブレーキ制御信号が出力部からモータ６に出力される。これにより、操作部材１２が所定の回転角を超えて回転することが阻止されるものとなる。
【００３９】
このように、上記構成の力覚付与型入力装置は、前記操作部材１２を手動で回転操作することにより、例えば、車載用電気機器を操作する操作信号を出力するものであり、車載用エアコンの風量の調節や吹出口の切り換え、ラジオの音量やチューナーの調整、オーディオの音量や音質の調整などが操作対象となるものである。
【００４０】
上記した本発明の実施例によれば、筐体の前記底板２には、前記操作部材１２の押圧操作に伴って前記操作部材１２と共に揺動する前記ブラケット４を設けて、前記ブラケット４に前記操作部材１２を回転可能に支持すると共に、前記操作部材１２が押圧操作された際には、揺動される前記ブラケット４により前記押釦スイッチ５を直接押圧駆動するようにしたことから、前記操作部材１２の押圧操作に伴って駆動される押釦スイッチ５は、回転操作される前記操作部材１２ではなく、前記操作部材１２が回転可能に支持された前記ブラケット１２が揺動することにより、このブラケット１２で押圧駆動されるため、従来のように駆動部材を介在させることなく押釦スイッチ５の押釦表面の摩耗を防止することができるので、部品点数を削減でき、作業性が向上すると共に、装置の小型化が図れるものとなっている。
【００４１】
尚、上記した本発明の実施例においては、力覚として抵抗感触が得られる力覚付与型入力装置を挙げたが、本発明はこれに限るものではなく、力覚として加速する感触や、クリック感触が得られる力覚付与型入力装置にしてもよい。
また、エンコーダはスリットを通して光の透過を検出するようにしたが、光を反射するコードを有するコード板を使用してもよい。
また、操作部材に回転力を付与するアクチュエータとしてモータを使用したが、電磁ブレーキ、電磁クラッチ等を使用してもよい。
【図面の簡単な説明】
【００４２】
【図１】本発明の力覚付与型入力装置の構成を示す正面図である。
【図２】本発明の力覚付与型入力装置の構成を示す平面図である。
【図３】本発明の力覚付与型入力装置の構成を示す左側面図である。
【図４】本発明の力覚付与型入力装置の構成を示す右側面図である。
【図５】本発明の力覚付与型入力装置の構成を示す断面図である。
【図６】従来の力覚付与型入力装置の構成を示す要部斜視図である。
【符号の説明】
【００４３】
１：上ケース（筐体）
１ａ：開口部
２：底板（筐体）
２ａ：支軸部
３：ガイド部材
３ａ：突出部
４：ブラケット
４ａ：基台
４ｂ：第１取付け板
４ｃ：第２取付け板
５：押釦スイッチ（検出スイッチ）
６：モータ（アクチュエータ）
６ａ：回転軸
７：第１の噛合ギヤ
８：コード板（エンコーダ）
８ａ：スリット
９：支持板
１０：回路基板
１１：フォトセンサ（エンコーダ）
１２：操作部材
１２ａ：周側面
１２ｂ：中空部
１３：回転支持部材
１３ａ：支持軸
１３ｂ：ガイド溝
１４：第２の噛合ギヤ
１５：ギヤガイド
【図１】
2005327169.tif 000003
【図２】
2005327169.tif 000004
【図３】
2005327169.tif 000005
【図４】
2005327169.tif 000006
【図５】
2005327169.tif 000007
【図６】
2005327169.tif 000008